(57)【要約】【課題】簡易な構成で表示領域を拡大できる画像表示装置および遊技機を提供すること。【解決手段】入力する画像情報に応じた画像を表示する画像表示装置４であって、当該画像表示装置４の奥行き方向に沿って配置され、かつ、所定の方向に射出される第１画像、および、当該第１画像とは異なる方向に射出される第２画像をそれぞれ略全面で形成する画像形成領域４１２Ａを有する表示装置本体４１と、表示装置本体４１に対して傾斜して配置され、表示装置本体４１から射出された第２画像としての光束の少なくとも一部を、第１画像としての光束の射出側に反射する反射ミラー４２とを備える。これによれば、第１画像の表示領域だけでなく、第２画像の表示領域も設けることができるので、１つの画像形成領域４１２Ａによる形成画像の表示領域を拡大することができる。【選択図】図６
2007260050.tif 000002
【特許請求の範囲】
【請求項１】
入力する画像情報に応じた画像を表示する画像表示装置であって、
当該画像表示装置の奥行き方向に沿って配置され、所定の方向に射出される第１画像、および、当該第１画像とは異なる方向に射出される第２画像をそれぞれ略全面で形成する画像形成領域を有する表示装置本体と、
当該表示装置本体に対して傾斜して配置され、前記表示装置本体から射出された前記第２画像としての光束の少なくとも一部を、前記第１画像としての光束の射出側に反射する反射ミラーとを備えることを特徴とする画像表示装置。
【請求項２】
請求項１に記載の画像表示装置において、
前記反射ミラーは、前記第２画像としての光束の一部を反射し、
前記反射ミラーを前記画像形成領域に沿って前記奥行き方向に移動させる移動手段を備えることを特徴とする画像表示装置。
【請求項３】
請求項１に記載の画像表示装置において、
前記反射ミラーは、前記表示装置本体に沿って複数設けられ、
前記複数の反射ミラーのうち、当該画像表示装置の前方側に配置される反射ミラーは、ハーフミラーで構成されていることを特徴とする画像表示装置。
【請求項４】
請求項１に記載の画像表示装置において、
前記反射ミラーは、ハーフミラーで構成され、
当該ハーフミラーの後方には、所定の構造体が配置されていることを特徴とする画像表示装置。
【請求項５】
請求項４に記載の画像表示装置において、
前記表示装置本体による画像形成を制御する制御手段と、
前記所定の構造物における前記ハーフミラーを介して観察される観察領域を照明する照明手段とを備え、
前記所定の構造体における前記観察領域は、前記ハーフミラーで反射された前記第２画像の虚像より前方側に配置され、
前記制御手段は、
前記表示装置本体に、前記観察領域に応じた前記ハーフミラーの範囲に射出される黒画像を形成させることを特徴とする画像表示装置。
【請求項６】
請求項１〜請求項５のいずれかに記載の画像表示装置において、
前記表示装置本体は、前記第１画像および前記第２画像の少なくともいずれかを、視差により立体視可能な画像とする視差バリアを備えていることを特徴とする画像表示装置。
【請求項７】
請求項１から請求項６のいずれかに記載の画像表示装置を備えることを特徴とする遊技機。
【発明の詳細な説明】
【技術分野】
【０００１】
本発明は、入力する画像情報に応じた画像を表示する画像表示装置、および、当該画像表示装置を備えた遊技機に関する。
【背景技術】
【０００２】
従来、遊技機として、遊技盤に設けられた入賞口に遊技球が入賞すると、当該入賞した遊技球の球数に応じて遊技球を払い出すパチンコ機や、抽選動作を停止させて、所定の絵柄が揃った場合に所定枚数のコインを払い出すパチスロ機等が知られている。このようなパチンコ機として、液晶パネル等の画像表示装置を備えたパチンコ機が知られている（例えば、特許文献１参照）。
この特許文献１に記載のパチンコ機では、当該画像表示装置を制御装置による制御下で、当該表示装置が絵柄および数字がスクロールするような抽選画像や大当たり画像等の形成、表示が実行されるように構成されており、遊技性が高められている。
【０００３】
しかしながら、このような画像表示装置により、抽選画像やリーチ画像等を多彩にしても、遊技機自体の演出が単調となりやすく、遊技者に飽きられやすいという傾向がある。
このような問題に対して、遊技機に設けられる画像表示装置を、立体視可能な画像（以下、「立体画像」と称する場合がある）を表示できる画像表示装置とし、当該画像表示装置の近傍に立体構造物である可動演出部材を配置した遊技機が知られている（例えば、特許文献１参照）。
【０００４】
この特許文献１に記載の遊技機では、画像表示装置は、可動演出部材の近傍に、当該可動演出部材に関連する関連画像を立体画像として表示する。これによれば、使用者は、立体表示される関連画像と、可動演出部材とを注目するようになるので、遊技機での演出効果を高めることができる。
【０００５】
【特許文献１】特開２００１−１１２９３８号公報（第４頁、図１）
【特許文献２】特開２００４−２８３３０８号公報
【発明の開示】
【発明が解決しようとする課題】
【０００６】
しかしながら、特許文献１および特許文献２に記載の遊技機では、遊技機の構成上、画像表示装置によって形成される画像の表示領域を拡大することが難しいという問題がある。すなわち、遊技盤上には、遊技球が入賞すると制御装置に抽選動作を開始させる始動入賞口や、大当り時に開閉する大入賞口等が設けられているので、画像表示装置の表示領域を大きくすると当該入賞口を配置することができなくなるという問題がある。ここで、透明部材で形成された遊技盤の後方に画像表示装置を配置し、当該遊技盤を介して画像を表示する構成が考えられるが、表示領域を大きくすることができるものの、遊技機の製造コストが増大するという問題がある。また、このような構成においても、他の入賞口等を配置する関係で、表示面積の大きさに限度があるという問題がある。
【０００７】
本発明の目的は、製造コストを増大させずに、簡易な構成で表示領域を拡大できる画像表示装置、および、当該画像表示装置を備えて遊技機を提供することである。
【課題を解決するための手段】
【０００８】
前記した目的を達成するために、本発明の画像表示装置は、入力する画像情報に応じた画像を表示する画像表示装置であって、当該画像表示装置の奥行き方向に沿って配置され、所定の方向に射出される第１画像、および、当該第１画像とは異なる方向に射出される第２画像をそれぞれ略全面で形成する画像形成領域を有する表示装置本体と、当該表示装置本体に対して傾斜して配置され、前記表示装置本体から射出された前記第２画像としての光束の少なくとも一部を、前記第１画像としての光束の射出側に反射する反射ミラーとを備えることを特徴とする。
【０００９】
ここで、第１画像としての光束が射出される所定の方向としては、例えば、画像表示装置に対して、第１画像および第２画像を観察する観察者が位置する方向とすることができる。
本発明によれば、画像表示装置を構成する表示装置本体は、１つの画像形成領域において、所定の方向に射出される第１画像と、反射ミラーによって少なくとも一部が反射され、観察者により虚像として観察される第２画像とを形成する。ここで、第１画像と第２画像とは、それぞれ画像形成領域の略全面で形成されるので、画像形成領域で形成された画像の表示領域としては、当該画像形成領域と同じサイズを有する第１画像の表示領域に加えて、反射ミラーによって反射され、虚像として観察される第２画像の表示領域が含まれることとなる。これによれば、１つの画像形成領域で１つの画像を形成表示する場合に比べ、画像形成領域で形成された画像の表示領域を、第２画像の表示領域の分だけ大きくすることができる。従って、１つの画像形成領域で１つの画像を形成する場合に比べ、当該形成画像の表示領域を大きくすることができる。
【００１０】
また、画像表示装置は、第１画像および第２画像を形成する画像表示領域を有する表示装置本体と、当該表示装置本体に対して傾斜して配置される反射ミラーとを備えて構成されている。これによれば、形成画像の表示領域を大きくするために、２つの画像形成領域を設ける必要がないので、画像表示装置の構成を簡略化することができるだけでなく、当該画像表示装置の製造コストを低減することができる。従って、簡易な構成で、形成画像の表示領域を大きくすることができる。
さらに、第１画像および第２画像として、それぞれ異なる画像を形成表示することができるので、画像表示装置の汎用性を向上することができる。
【００１１】
本発明では、前記反射ミラーは、前記第２画像としての光束の一部を反射し、前記反射ミラーを前記画像形成領域に沿って前記奥行き方向に移動させる移動手段を備えることが好ましい。
このような移動手段の構成として、反射ミラーを奥行き方向に沿って進退させる構成や、反射ミラーを回動させて、当該反射ミラーの表示装置本体に対する傾斜角を変化させる構成を例示することができる。
【００１２】
本発明によれば、移動手段により、反射ミラーが、表示装置本体の画像形成領域に沿って、画像表示装置の奥行き方向に移動する。
ここで、反射ミラーが奥行き方向に沿って進退する場合、第２画像に係る虚像を観察する際の観察者の焦点位置が移動することとなる。このため、最も後方側に反射ミラーが配置された位置から、最も前方側に反射ミラーの位置が移動すると、当該反射ミラーによって反射される光束である第２画像に係る虚像が、観察者に近い側に移動することとなるので、観察者に第２画像である虚像のサイズが大きくなったように見せることができる。また、逆に、移動手段により、反射ミラーを前方側の位置から後方側に移動させることにより、第２画像の虚像を小さくなったように見せることができる。従って、反射ミラーの位置を移動することにより、第２画像の焦点位置や、形成画像の表示領域のサイズを容易に変更することができる。
また、反射ミラーが回動する場合、当該反射ミラーに入射した第２画像としての光束の反射角度を変化させたり、第２画像としての光束を射出する画像形成領域の範囲を変化させたりすることができる。従って、画像表示装置の汎用性を向上することができる。
【００１３】
また、本発明では、前記反射ミラーは、前記表示装置本体に沿って複数設けられ、前記複数の反射ミラーのうち、当該画像表示装置の前方側に配置される反射ミラーは、ハーフミラーで構成されていることが好ましい。
本発明によれば、観察者に近い側に第２画像の虚像を位置させたい場合には、複数の反射ミラーのうち、前方側に配置されたハーフミラーに対して、画像形成領域により形成された第２画像の一部を入射させて、当該第２画像の一部を反射させることにより、後方側に配置された反射ミラーで反射した第２画像の一部を観察者に認識しにくくすることができる。そして、この際、前方側に配置されたハーフミラーによって反射した第２画像の虚像を観察者に観察させることができるので、第２画像の虚像に対する観察者の焦点位置を、前方側に位置させることができる。
一方、前方側に配置されたハーフミラーに対して黒画像を入射させると、当該黒画像が入射したハーフミラーの領域を、後方側の反射ミラーで反射した第２画像の一部である光束が透過して、当該第２画像の一部を観察者に観察させやすくすることができる。この際、観察者が観察する第２画像の虚像は、後方側の反射ミラーの後方側に形成されることとなるので、当該第２画像の虚像に対する観察者の焦点位置を、後方側に位置させることができる。
従って、第２画像の虚像の焦点位置を、容易に切り替えることができるとともに、形成画像の表示領域のサイズを容易に変更することができる。
【００１４】
あるいは、本発明では、前記反射ミラーは、ハーフミラーで構成され、当該ハーフミラーの後方には、所定の構造体が配置されていることが好ましい。
このような構造体としては、絵、人形、遊技機で用いられる抽選装置としてのリールや、小型の表示装置等を例示することができる。
本発明によれば、画像形成領域で形成され、ハーフミラーにより反射された第２画像の虚像を観察者に観察させる場合と、当該ハーフミラーの後方に配置された構造物を観察させる場合とを切り替えることができる。従って、ハーフミラーの後方に配置された構造物を観察者に観察させることができるので、画像表示装置の演出効果を高めることができる。
【００１５】
このような本発明では、前記表示装置本体による画像形成を制御する制御手段と、前記所定の構造物における前記ハーフミラーを介して観察される観察領域を照明する照明手段とを備え、前記所定の構造体における前記観察領域は、前記ハーフミラーで反射された前記第２画像の虚像より前方側に配置され、前記制御手段は、前記表示装置本体に、前記観察領域に応じた前記ハーフミラーの範囲に射出される黒画像を形成させることが好ましい。
【００１６】
本発明によれば、ハーフミラーの後方側に配置された構造体の観察領域を浮かせて見せることができる。
すなわち、制御手段が、構造体の観察領域に対応するハーフミラーの範囲に射出される第２画像として黒画像を形成することにより、ハーフミラーの後方に配置された構造体の観察領域を観察しやすくすることができる。ここで、当該構造体の観察領域は、ハーフミラーによって観察される第２画像の虚像の位置より前方側に位置し、当該観察領域は、照明手段によって照明されるので、ハーフミラーを介して観察される構造体の観察領域を浮いているように見せることができる。従って、構造体の観察時の演出効果を高めることができる。
【００１７】
また、本発明では、前記表示装置本体は、前記第１画像および前記第２画像の少なくともいずれかを、視差により立体視可能な画像とする視差バリアを備えていることが好ましい。
本発明によれば、第１画像および第２画像のうち少なくともいずれかの画像を、観察者の右目に入射させる右目用画像と、左目に入射させる左目用画像で構成し、当該右目用画像および左目用画像を、視差バリアによって、観察者の右目および左目にそれぞれ入射させることにより、当該画像を立体視可能な画像とすることができる。従って、画像表示装置が立体視可能な画像を表示することができるので、当該画像表示装置による演出効果を一層高めることができる。
【００１８】
また、本発明の遊技機は、前述の画像表示装置を備えることを特徴とする。
本発明によれば、前述の画像表示装置と同様の効果を奏することができる。
すなわち、画像形成領域の略全面で形成される第１画像の表示領域と、同じく画像形成領域で形成され、反射ミラーによって反射されて、虚像として観察される第２画像の表示領域とにより、１つの画像形成領域で１つの画像が形成される場合に比べ、画像の表示領域を大きくすることができる。また、画像形成装置は、第１画像および第２画像を形成する画像形成領域を有する表示装置本体と、当該表示装置本体に対して傾斜して設けられる反射ミラーとを備えて構成されているので、画像の表示領域を拡大するために別途他の表示装置本体を設ける必要がなくなる。従って、簡易な構成で、形成画像の表示領域を拡大することができるだけでなく、それぞれ異なる第１画像および第２画像を１つの画像形成領域を有する表示装置本体で形成表示することができる。
【００１９】
さらに、遊技機においては、入賞口等を設ける必要があるので、形成画像の表示領域の拡大に対して制限があるが、表示装置本体が遊技機の奥行き方向に配置されることで、例えば、遊技球が入賞する入賞口を備えてパチンコ機などにおいては、当該入賞口等の他の部材に影響することなく、形成画像の表示領域を容易に拡大することができる。従って、遊技機の全体の寸法（サイズ）を変更することなく、形成画像の表示領域を拡大することができ、また、遊技機の製造コストの増大を抑制することができる。
【発明を実施するための最良の形態】
【００２０】
〔１．第１実施形態〕
以下、本発明の第１実施形態を図面に基づいて説明する。
（１）パチンコ機１の構成
図１は、本実施形態のパチンコ機１を示す概要斜視図である。
本実施形態のパチンコ機１は、本発明の遊技機に相当し、遊技者の操作により、遊技球を遊技盤上に射出して、当該遊技球が遊技盤に設けられた入賞口等に入賞した場合に、所定数の遊技球を払い出すものである。このパチンコ機１は、図１に示すように、枠体２と、当該枠体２内に収納される遊技機本体３とを備えて構成されている。
【００２１】
（２）遊技機本体３の構成
遊技機本体３は、図１に示すように、枠体２の前面側に取り付けられる遊技盤３１と、当該遊技盤３１の前面を覆う透光板を有する前扉３２と、遊技球を発射するためのハンドル３３と、払出装置（図１では図示省略）から払い出された遊技球を貯める上皿３４および下皿３５とを備えて構成されている。また、遊技機本体３には、図示を省略したが、当該遊技機本体３を制御し、後述する始動入賞口３１５に遊技球が入賞した際に、抽選処理を実行する制御装置が設けられている。
【００２２】
遊技盤３１は、ハンドル３３から打ち出された遊技球を導くレール３１１によって囲まれた略円形状の遊技領域３１Ａを有し、当該遊技領域３１Ａには、適所に遊技球の軌道を変更する複数の釘３１２が配設されている。また、遊技盤３１の略中央、すなわち、遊技領域３１Ａの略中央には、略横長長方形状の開口３１Ｂが形成され、当該開口３１Ｂは、透光性の基板３１３により覆われている。
この開口３１Ｂの左右両側には、遊技球が入賞する２つの入賞口３１４が設けられている。また、開口３１Ｂの下方略中央には、遊技球が入賞すると前述の制御装置に抽選処理を実行させる始動入賞口３１５が設けられ、当該始動入賞口３１５の下方には、当該抽選処理により大当りとなった場合に開放される大入賞口３１６が設けられている。さらに、遊技領域３１Ａの下端には、入賞口３１４，３１５，３１６に入賞しなかった遊技球を回収する回収口３１７が形成されている。
【００２３】
（３）画像表示装置４の構成
図２は、遊技盤３１を背面側から見た斜視図である。
遊技盤３１の背面側には、図２に示すように、画像表示装置４が配置される。詳述すると、画像表示装置４は、遊技盤３１の略中央に形成された開口３１Ｂに対応する位置に取り付けられている。
この画像表示装置４は、画像を形成する表示装置本体４１と、当該表示装置本体４１の上方に、水平方向に対して傾斜した反射ミラー４２と、制御装置から入力する制御信号に応じて表示装置本体４１の駆動を制御する制御手段４３と、反射ミラー４２を所定の位置に支持するとともに、これらを内部に収納する筐体４４とを備えて構成されている。
このうち、制御手段４３は、ＣＰＵ（Central Processing Unit）等の描画処理回路や、フラッシュメモリ等の記憶装置等が実装された回路基板として構成され、遊技機本体３から入力する制御信号に応じて、画像を表示装置本体４１に形成表示させるとともに、画像表示装置４全体を制御する。
【００２４】
図３は、表示装置本体４１の構成を示す分解斜視図である。
表示装置本体４１は、図２に示すように、パチンコ機１の奥行き方向に沿って配置されるとともに、画像形成領域が上方側を向くように水平方向に沿って配置され、前方側（遊技者側）の端部が、開口３１Ｂに接続されている。この表示装置本体４１は、図３に示すように、バックライトユニット４１１、液晶パネル４１２、視差バリア４１３およびシールドケース４１４を積層一体化した構成を具備している。
このうち、バックライトユニット４１１は、詳しい図示を略したが、略Ｗ字状に曲折された冷陰極管と、この冷陰極管の背面側に設けられるリフレクタから構成され、冷陰極管に電圧印加して生じた放電光を、リフレクタで反射して液晶パネル４１２側に射出する。
また、シールドケース４１４は、視差バリア４１３を保護する透光性の基板として構成されている。
【００２５】
図４は、液晶パネル４１２を構成するカラーフィルタを示す模式図である。
液晶パネル４１２は、固定画素型の画像形成デバイスであり、矩形状の画像形成領域上に平面状に配置される複数の固定画素から構成されている。これら固定画素は、図示を略したが、一対の透明基板間に密閉封入された液晶に電圧を印加するＴＦＴ（Thin Filmed Transistor）をスイッチング素子とし、ＴＦＴのスイッチングにより各画素に印加される電圧が変化して液晶の配向状態が変化することにより、入射光束を前述の制御装置から入力する画像データに応じて変調することが可能となる。
液晶パネル４１２を構成する各固定画素の光射出側には、図４に示すように、Ｒ（赤）、Ｇ（緑）、Ｂ（青）をストライプ状に配列したカラーフィルタが設けられ、画像表示時には、斜めに配置されるＲ１、Ｇ１、Ｂ１で１つの表示画素を構成する。
【００２６】
図５は、表示装置本体４１の構造を説明する縦断面図である。なお、図５においては、バックライトユニット４１１およびシールドケース４１４の図示を省略している。
視差バリア４１３は、当該視差バリア４１３に正対する方向から見ると、液晶パネル４１２から射出された光束を遮光するマスク４１３Ａがストライプ状に配置されたグリッドアレイとして構成されている。このマスク４１３Ａは、図５に示すように、各マスク４１３Ａが液晶パネル４１２の画像形成領域４１２Ａ（図６参照）を構成し、かつ、互いに隣接する画素４１２Ｆ、４１２Ｕの境界部分に跨って配置されており、各マスク４１３Ａの間はスリットＳＬとされ、各画素４１２Ｆ，４１２Ｕから射出された光が透過する。なお、このようなマスク４１３Ａは、印加電圧に応じて透過光束を変調する液晶素子と、当該液晶素子により変調された光束を透過する偏光板とを備えて構成することができる。
ここで、画素４１２Ｆは、パチンコ機１の前方側に射出される第１画像、すなわち、開口３１Ｂを介して遊技者により直視される第１画像を形成する画素であり、また、画素４１２Ｕは、後述する反射ミラー４２により反射して、遊技者に虚像として観察される第２画像を形成する画素である。
【００２７】
この視差バリア４１３の一対の透明基板の液晶パネル４１２側の面には、隣接する画素４１２Ｆ、４１２Ｕ間に上下方向に延びる複数の溝が形成され、各溝に遮光材料が充填されて断面視略直角三角形状の遮光体４１３Ｂが形成されている。
このような視差バリア４１３により、画素４１２Ｆで形成された第１画像としての光束と、画素４１２Ｕで形成された第２画像としての光束とが相互に干渉することを防止でき、第１画像としての光束は、パチンコ機１の前方側（遊技者側）に射出され、第２画像としての光束は、表示装置本体４１の画像形成領域４１２Ａ（画素４１２Ｆ，４１２Ｕが配設された領域。図６参照）から面外方向に射出される。
【００２８】
図６は、遊技機本体３および画像表示装置４を示す縦断面図である。
画像表示装置４を構成する反射ミラー４２は、前述のように、表示装置本体４１の上方に、当該表示装置本体４１に対して傾斜して設けられている。
詳述すると、反射ミラー４２は、図６に示すように、表示装置本体４１に対して４５°傾斜し、当該反射ミラー４２は、当該表示装置本体４１から射出された第２画像としての光束を反射する反射面が、遊技者に対向するように配置されている。この反射ミラー４２は全反射ミラーで構成され、当該反射ミラー４２は、表示装置本体４１の画像形成領域（前述の画素４１２Ｆ，４１２Ｕが配置された領域）４１２Ａの全面で形成された第２画像としての光束が入射可能な寸法で、かつ、当該光束を遊技者側に反射可能な寸法で形成されている。
【００２９】
ここで、表示装置本体４１で形成された第１画像としての光束、および、第２画像としての光束の射出方向について説明する。
表示装置本体４１の液晶パネル４１２を構成する画素４１２Ｆで形成された第１画像としての光束は、視差バリア４１３により前方側に、表示装置本体４１に対して略３０°程度の射出角を持って射出される。このため、当該第１画像は、表示装置本体４１を遊技者が直視することで観察される。
また、液晶パネル４１２を構成する画素４１２Ｕで形成された第２画像としての光束は、視差バリア４１３により、当該液晶パネル４１２の面外方向である上方に向かって略９０°の射出角を持って射出される。そして、上方に射出された第２画像としての光束は、表示装置本体４１に対して略４５°傾斜して配置された反射ミラー４２で反射され、前方側に向かって水平方向に沿って射出される。このため、反射ミラー４２で反射した第２画像は、遊技者からは、当該反射ミラー４２の後方側（遊技者側とは反対側）の端部における表示装置本体４１の光束射出面に直交する仮想の面Ｓ上の虚像として観察される。
【００３０】
図７は、画像表示装置４で形成表示された画像の見え方を説明する図である。
画像表示装置４により形成された第１画像Ｐ１および第２画像Ｐ２のうち、第１画像Ｐ１は、図７に示すように、遊技者により略台形形状の画像として観察される。また、第２画像Ｐ２は、反射ミラー４２の後方に形成される略矩形状の虚像として観察される。なお、本実施形態では、図７に示すように、第１画像Ｐ１として車道の画像を、第２画像Ｐ２として当該車道を走る自動車および空の画像とし、第１画像Ｐ１と第２画像Ｐ２とを互いに関連付けられてはいるものの異なる画像を表示装置本体４１により形成したが、これに限らず、他の画像を表示するようにしてもよい。
【００３１】
以上のような本実施形態のパチンコ機１によれば、以下の効果を奏することができる。
すなわち、第１画像および第２画像を、表示装置本体４１を構成する液晶パネル４１２の画像形成領域４１２Ａの全面で形成し、当該第１画像としての光束、および、第２画像としての光束を視差バリア４１３を介して、それぞれ前方側および上方側に射出する。この際、第１画像としての光束は、遊技者が位置する前方側に射出されるので、遊技者は、当該第１画像を直視可能な画像として観察することができる。
一方、上方側に射出された第２画像としての光束は、表示装置本体４１に対して略４５°の傾斜角を持って傾斜して配置された反射ミラー４２により、遊技者が位置する前方側に反射される。この際、当該第２画像は、表示装置本体４１に近接する反射ミラー４２の奥行き方向の後方側端部近傍における当該表示装置本体４１の光束射出面に直交する仮想の面Ｓ上の虚像として観察することができる。
【００３２】
これによれば、画像形成領域４１２Ａの全面で形成される第１画像だけでなく、同様に、当該画像形成領域４１２Ａの略全面で形成される第２画像を、それぞれ別々に観察することができる。このため、画像表示装置４が画像形成領域４１２Ａにおいて１つの画像を形成表示する場合に比べ、形成画像の表示領域として、画像形成領域４１２Ａと略同じ寸法を有する第１画像の表示領域だけでなく、第２画像の表示領域が含まれることとなるので、パチンコ機１における形成画像の表示領域を拡大することができる。
【００３３】
ここで、画像表示装置４は、第１画像および第２画像を、それぞれ同時に１つの画像形成領域４１２Ａの全面で形成し、当該第１画像および第２画像のうち、第２画像としての光束を反射ミラー４２により、遊技者側に反射する構成である。これによれば、第１画像および第２画像を形成可能な表示装置本体４１に対して、第２画像を反射する反射ミラー４２を設けるだけで、前述のように、形成画像の表示領域を拡大することができる。従って、簡易な構成で、形成画像の表示領域を拡大することができる。
【００３４】
さらに、このような画像表示装置４を構成し、画像を形成表示する表示装置本体４１が、パチンコ機１の奥行き方向に沿って配置されているので、遊技盤３１上に複数設けられた入賞口３１４〜３１６の配置に影響することなく、形成画像の表示領域を拡大することができる。従って、遊技盤３１上に設けられた部材に影響することなく形成画像の表示領域を拡大することができるだけでなく、遊技盤３１上の部材の配置位置の自由度を向上することができる。
【００３５】
〔２．第２実施形態〕
次に、本発明の第２実施形態に係るパチンコ機１Ａについて説明する。
本実施形態のパチンコ機１Ａは、前述のパチンコ機１と同様の構成を備えるが、パチンコ機１においては、反射ミラー４２が固定されていたのに対し、本実施形態のパチンコ機１Ａでは、反射ミラーが奥行き方向に移動自在に構成されている点で相違する。なお、以下の説明では、既に説明した部分と同一または略同一である部分については、同一の符号を付して説明を省略する。
【００３６】
図８は、本実施形態のパチンコ機１Ａの遊技機本体３および画像表示装置４Ａを示す縦断面図である。
本実施形態のパチンコ機１Ａは、本発明の遊技機に相当し、前述のパチンコ機１と同様に、遊技者の操作により、遊技球を遊技盤上に射出して、当該遊技球が遊技盤に設けられた入賞口等に入賞した場合に、所定数の遊技球を払い出すものである。
このパチンコ機１Ａは、枠体２と、当該枠体２内に収納される遊技機本体３とを備えて構成されている。
このうち、遊技機本体３は、遊技盤３１、前扉３２、ハンドル３３、上皿３４および下皿３５を備え、遊技盤３１の背面側には、図８に示すように、当該遊技盤３１に形成された開口３１Ｂに対応する位置に、画像表示装置４Ａが設けられている。
【００３７】
画像表示装置４Ａは、画像表示装置４と同様に、遊技者に直視される第１画像、および、虚像として観察される第２画像を形成する。この画像表示装置４Ａは、表示装置本体４１、反射ミラー４２Ａ、制御手段４３および筐体４４を備え、これらの他に、反射ミラー４２Ａを奥行き方向に沿って進退させる移動手段４５を備えて構成されている。
【００３８】
反射ミラー４２は、前述の反射ミラー４２の略半分程度の大きさに形成されている。すなわち、反射ミラー４２は、表示装置本体４１を構成する液晶パネル４１２の画像形成領域４１２Ａの奥行き方向における略半分の領域から射出された第２画像としての光束が入射する程度の寸法を有し、当該反射ミラー４２は、通常時では、表示装置本体４１に対して略４５°傾斜して設けられている。
【００３９】
図８に戻り、移動手段４５は、制御手段４３から入力する駆動信号に応じて駆動するステッピングモータ（図示省略）と、当該ステッピングモータおよび反射ミラー４２Ａに接続され、ステッピングモータの駆動に応じて反射ミラー４２Ａを、画像表示装置４Ａの奥行き方向（矢印Ｚ方向）に進退させる腕部４５１とを備えて構成されている。
この移動手段４５は、画像形成領域４１２Ａの略半分の領域を覆う反射ミラー４２Ａを、当該画像形成領域４１２Ａにおける奥行き方向の最も奥側（後方側）の位置から、当該画像形成領域４１２Ａにおける奥行き方向の略半分の位置までの範囲Ｒ内で進退させる。
なお、移動手段４５は、画像形成領域４１２Ａに沿うとともに、当該画像形成領域４１２Ａの奥行き方向に直交する方向を軸として反射ミラー４２Ａを回動させ、当該反射ミラー４２Ａの表示装置本体４１に対する傾斜角を変化させるようにしてもよい。このような場合、反射ミラー４２Ａによって前方側（遊技者側）に反射する第２画像としての光束の反射角を変化させたり、また、反射ミラー４２Ａに入射する第２画像としての光束を射出する画像形成領域４１２Ａの範囲を広くしたり狭くしたりすることができる。
【００４０】
次に、反射ミラー４２Ａの位置に対する第２画像の見え方について説明する。
図９は、画像形成領域４１２Ａに対して反射ミラー４２Ａが覆う領域を説明する図である。また、図１０は、反射ミラー４２Ａを最も後方側に配置した場合の第２画像の見え方を説明する図であり、また、図１１は、反射ミラー４２を最も前方側に配置した場合の第２画像の見え方を説明する図である。なお、図１０および図１１において、第２画像として示された画像は、図９において第２画像として示された画像に基づく画像としている。
移動手段４５により、反射ミラー４２Ａが奥行き方向の最も後方側に配置された場合、すなわち、反射ミラー４２Ａが図９において実線で示された位置に配置された場合、表示装置本体４１が第２画像として図９に示す人型の画像を形成すると、反射ミラー４２Ａに対して画像形成領域４１２Ａの前方側略半分で形成された第２画像の一部に係る光束が入射しないので、図１０に示すように、遊技者に観察される第２画像は、当該人型の画像のうち下半身を示す画像となる。この際、第２画像に係る虚像の位置は、最も後方側（奥側）となるので、当該第２画像の表示領域は最も小さくなる。一方、反射ミラー４２Ａによって第１画像としての光束が遮られることがないので、当該第１画像の表示領域は最も大きくなる。
【００４１】
これに対し、移動手段４５が、反射ミラー４２Ａを最も前方側（遊技者にとっての手前側）に配置した場合、すなわち、反射ミラー４２Ａが図９において２点鎖線で示された位置に配置された場合、画像形成領域４１２Ａで形成された第２画像のうち、後方側略半分の領域で形成された第２画像としての光束が反射ミラー４２Ａに入射せず、当該光束は、前方側（遊技者側）に反射されないこととなる。逆に、画像形成領域４１２Ａの奥行き方向前方側略半分の領域で形成された第２画像としての光束が反射ミラー４２Ａに入射するので、図１１に示すように、第２画像として人型の画像のうち、上半身を示す画像が観察される。この際、第２画像の虚像の位置は、最も前方側（遊技者にとっての手前側）に位置することとなるので、当該第２画像の表示領域は最も大きくなる。一方、このような反射ミラー４２Ａの位置では、当該反射ミラー４２Ａによって、前方側に向かって傾斜して射出される第１画像としての光束の一部が遮られることとなるので、第１画像の表示領域は、最も小さくなる。
【００４２】
以上のような本実施形態のパチンコ機１Ａによれば、前述のパチンコ機１と同様の効果を奏することができるほか、以下の効果を奏することができる。
すなわち、移動手段４５により反射ミラー４２Ａを最も後方側に位置させた場合には、当該反射ミラー４２Ａが、表示装置本体４１を構成する液晶パネル４１２の画像形成領域４１２Ａにおける奥行き方向後方側略半分で形成された第２画像を反射する。これにより、遊技者は、当該第２画像を、反射ミラー４２Ａの後方側に形成される虚像として観察することができる。また、この際、画像形成領域４１２Ａから前方側に射出される第１画像としての光束は、反射ミラー４２Ａにより遮られることがないので、遊技者は、当該画像形成領域４１２Ａの略全面で形成された全ての第１画像を観察することができる。
これによれば、画像形成領域４１２Ａと略同じ寸法で形成された第１画像を表示する表示領域と、当該画像形成領域４１２Ａの略半分の寸法で形成された第２画像を表示する表示領域とが形成されることとなるので、当該画像表示領域４１２Ａで１つの画像を形成表示する場合に比べ、形成画像の表示領域を拡大することができる。
【００４３】
また、このような画像表示装置４Ａは、第１画像および第２画像をそれぞれ他方向に射出するようにして、当該第１画像および第２画像を形成表示する表示装置本体４１と、当該表示装置本体４１に対して傾斜して設けられ、第２画像を前方側（遊技者側）に反射する反射ミラー４２Ａとを備えた構成とされている。これによれば、簡易な構成で、形成画像の表示領域を拡大することができる。従って、画像表示装置４Ａ、ひいては、パチンコ機１Ａの大幅な製造コストの増加を抑制できる。
さらに、表示装置本体４１が奥行き方向に沿って配置されることとなるので、遊技盤３１上の入賞口３１４〜３１６等の他の部材に干渉しないようにすることができる。従って、遊技盤３１上に配置される部材の配置の自由度を向上することができる。
【００４４】
また、画像表示装置４Ａは、第２画像としての光束を反射する反射ミラー４２Ａを、表示装置本体４１に沿って奥行き方向に移動させる移動手段４５を備えている。これによれば、表示装置本体４１の画像形成領域４１２Ａで形成された第２画像の虚像の位置、すなわち、当該第２画像の焦点位置を前後に移動させることができる。この際、反射ミラー４２Ａを後方側に配置した場合より、前方側に配置した場合の方が、第２画像の虚像の寸法を大きくすることができる。従って、第１画像および第２画像の表示領域のサイズを変更することができ、パチンコ機１Ａによる演出効果を高めることができる。
さらに、移動手段４５が反射ミラー４２Ａを回動させる場合には、遊技者側に反射する第２画像としての光束の反射角度を変化させたり、反射ミラー４２Ａに入射する第２画像としての光束を射出する画像形成領域４１２Ａの範囲を変化させたりすることができる。従って、一層多彩な演出を行うことができる。
【００４５】
〔３．第３実施形態〕
次に、本発明の第３実施形態に係るパチンコ機１Ｂについて説明する。
本実施形態のパチンコ機１Ｂは、前述のパチンコ機１と同様の構成を備えるが、画像表示装置に複数の反射ミラーが設けられている点において相違する。なお、以下の説明では、既に説明した部分と同一または略同一である部分については、同一の符号を付して説明を省略する。
【００４６】
図１２は、本実施形態のパチンコ機１Ｂの遊技機本体３および画像表示装置４Ｂを示す縦断面図である。
本実施形態のパチンコ機１Ｂは、本発明の遊技機に相当し、枠体２および遊技機本体３を備えている。この遊技機本体３は、遊技盤３１および前扉３２等を備え、遊技盤３１の背面側には、当該遊技盤３１に形成された開口３１Ｂに対応する位置に、画像表示装置４Ｂが取り付けられている。
この画像表示装置４Ｂは、図１２に示すように、表示装置本体４１、反射ミラー４２Ｂ１，４２Ｂ２、制御手段４３および筐体４４を備えて構成されている。
【００４７】
このうち、反射ミラー４２Ｂ１は、表示装置本体４１を構成する液晶パネル４１２の画像形成領域４１２Ａの奥行き方向における前方側略２／３の領域から射出された第２画像としての光束を前方側（遊技者側）に反射するように配置され、当該反射ミラー４２Ｂ１は、ハーフミラーで構成されている。
また、反射ミラー４２Ｂ２は、画像表示領域の奥行き方向における後方側略１／３の領域から射出された第２画像としての光束を前方側（遊技者側）に反射するように配置され、当該反射ミラー４２Ｂ２は、全反射ミラーで構成されている。
【００４８】
前述のように、画像形成領域４１２Ａにおける前方側略２／３の領域で形成された第２画像としての光束は、反射ミラー４２Ｂ１に入射し、当該反射ミラー４２Ｂ１で前方側に反射される。この際、当該第２画像は、反射ミラー４２Ｂ１の後方側端部における表示装置本体４１Ｂの光束射出面に直交する仮想の面Ｓ１上に虚像として観察される。
ここで、反射ミラー４２Ｂ１がハーフミラーで構成されているので、画像形成領域４１２Ａの後方側略１／３で形成され、反射ミラー４２Ｂ２で反射した第２画像としての光束が、反射ミラー４２Ｂ１を透過して前方側に射出されてしまい、当該第２画像が、反射ミラー４２Ｂ１で反射した第２画像と重なって観察されてしまう。このため、反射ミラー４２Ｂ１で反射される第２画像を観察させる場合には、制御手段４３は、液晶パネル４１２に対して、画像形成領域４１２Ａにおける後方側略１／３の領域で黒画像を形成させることで、当該反射ミラー４２Ｂ２で反射する光束の光量を小さくして、反射ミラー４２Ｂ１で反射した第２画像が劣化するのを防いでいる。
【００４９】
一方、画像形成領域４１２Ａにおける奥行き方向後方側略１／３の領域で形成された第２画像としての光束は、反射ミラー４２Ｂ２に入射し、当該反射ミラー４２Ｂ２で前方側に反射される。この際、当該第２画像は、反射ミラー４２Ｂ２の後方側端部における表示装置本体４１Ｂの光束射出面に直交する仮想の面Ｓ２上に虚像として観察される。
ここで、前述のように、反射ミラー４２Ｂ２の前方側に配置された反射ミラー４２Ｂ１がハーフミラーで構成されているので、当該反射ミラー４２Ｂ１で反射する第２画像の輝度が高い場合には、反射ミラー４２Ｂ２で反射した第２画像としての光束は、反射ミラー４２Ｂ１を透過するものの、画像として認識しづらくなってしまう。このため、反射ミラー４２Ｂ２で反射される第２画像を観察させる場合には、制御手段４３は、液晶パネル４１２に対して、画像形成領域４１２Ａにおける前方側略２／３の領域で黒画像を形成させる。
【００５０】
以上のような本実施形態のパチンコ機１Ｂによれば、前述のパチンコ機１と同様の効果を奏することができるほか、以下の効果を奏することができる。
すなわち、画像表示装置４Ｂにおける奥行き方向後方側に位置する反射ミラー４２Ｂ２で反射した第２画像を遊技者に観察させる場合、遊技者は、当該反射ミラー４２Ｂ２の後方側の仮想の面Ｓ２上に形成される第２画像の虚像と、表示装置本体４１の画像形成領域４１２Ａから前方側に傾斜して射出され直視可能な第１画像とを観察することができる。これによれば、画像形成領域４１２Ａと略同じ寸法を有する第１画像の表示領域に加えて、当該画像形成領域４１２Ａの後方側略１／３の領域で形成された第２画像の表示領域を別途設けることができる。従って、１つの画像形成領域４１２Ａで１つの画像を形成表示する場合に比べて、形成画像の表示領域を拡大することができる。
【００５１】
また、画像表示装置４Ｂは、形成した第１画像を前方側（遊技者側）に射出し、形成した第２画像を上方に射出する表示装置本体４１と、当該表示装置本体４１に対して傾斜して配置され、第２画像としての光束を前方側に反射する反射ミラー４２Ｂ１，４２Ｂ２とを備えた構成であるので、他の表示装置本体を別途設ける必要がない。従って、簡易な構成で、形成画像の表示領域を拡大することができる。
さらに、表示装置本体４１を奥行き方向に沿って配置したことにより、遊技盤３１上の入賞口３１４〜３１６等の他の部材に、画像の表示領域が干渉することを抑えることができる。
【００５２】
画像表示装置４Ｂは、前述のように、２つの反射ミラー４２Ｂ１，４２Ｂ２を備えている。このうち、前方側に配置された反射ミラー４２Ｂ１は、画像形成領域４１２Ａの奥行き方向における前方側略２／３の領域で形成された第２画像としての光束を前方側に反射するとともに、後方側に配置され、画像形成領域４１２Ａにおける後方側略１／３の領域で形成された反射ミラー４２Ｂ２で反射した光束を透過するハーフミラーで構成されている。
これによれば、第２画像としての光束を、前方側に配置された反射ミラー４２Ｂ１で反射して、当該第２画像を仮想の面Ｓ１上の虚像として観察させる場合と、後方側に配置された反射ミラー４２Ｂ２で反射して、当該第２画像を仮想の面Ｓ２上の虚像として観察させる場合とに、簡易に切り替えることができる。従って、表示画像の焦点位置および表示領域のサイズを、簡易な構成で容易に切り替えることができる。
【００５３】
〔４．第４実施形態〕
次に、本発明の第４実施形態に係るパチンコ機１Ｃについて説明する。
本実施形態のパチンコ機１Ｃは、前述のパチンコ機１と同様の構成を備えるが、反射ミラーの後方に遊技者に観察させる構造体が設けられている点で相違する。なお、以下の説明では、既に説明した部分と同一または略同一である部分については、同一の符号を付して説明を省略する。
【００５４】
図１３は、本実施形態のパチンコ機１Ｃの遊技機本体３および画像表示装置４Ｃを示す縦断面図である。なお、図１３においては、画像表示装置４Ｃの筐体４４の図示を省略している。
本実施形態のパチンコ機１Ｃは、本発明の遊技機に相当し、枠体２および遊技機本体３を備えて構成されている。このうち、遊技機本体３は、遊技盤３１および前扉３２等を備えて構成され、当該遊技盤３１の裏側には、図１３に示すように、開口３１Ｂに対応する位置に画像表示装置４Ｃが設けられている。
【００５５】
画像表示装置４Ｃは、表示装置本体４１、反射ミラー４２Ｃ、制御手段４３および筐体４４を備え、これらの他に、本発明の構造体としてのリール４６と、当該リール４６を照明する照明手段４７とを備えて構成されている。
このうち、反射ミラー４２Ｃは、表示装置本体４１を構成する液晶パネル４１２の画像形成領域４１２Ａから射出される第２画像としての光束の全てが入射する寸法を有し、当該表示装置本体４１に対して略４５°の傾斜角で傾斜して設けられている。この反射ミラー４２Ｃは、ハーフミラーで構成されており、画像形成領域４１２Ａの略全面で形成され、上方に射出された第２画像としての光束を、前方側（遊技者側）に射出するとともに、当該反射ミラー４２Ｃの後方側に配置されたリール４６で反射した光束を透過する。
【００５６】
リール４６は、詳しい図示を省略したが、それぞれ独立して回転する３つのドラムを備えて構成され、当該ドラムの外周面には所定の絵柄が記されている。このリール４６は、反射ミラー４２Ｃの略中央に対応する最も前方側の領域が、当該反射ミラー４２Ｃにおける最も後方側の端部より前方側に位置している。
照明手段４７は、リール４６における最も前方側の領域を照明する。このため、照明手段４７から射出された光束は、当該リール４６の最も前方側の領域で反射して、反射ミラー４２Ｃを介して、前方側に射出される。すなわち、リール４６の最も前方側の領域が、本発明の構造体の観察領域に相当する。
【００５７】
図１４には、リール４６を透かした際の画像の見え方を説明する図である。
画像表示装置４Ｃは、通常時には、照明手段４７によるリール４６の照明を行わず、画像形成領域４１２Ａで第１画像を形成表示するとともに、当該画像形成領域４１２Ａで第２画像を形成し、当該第２画像としての光束を反射ミラー４２Ｃで前方側に反射して、当該第２画像を仮想の面上の虚像として表示する。
【００５８】
ここで、反射ミラー４２Ｃを介して、当該反射ミラー４２Ｃの後方側に配置されたリール４６を透かして遊技者に見せる場合には、制御手段４３の制御により、画像形成領域４１２Ａは、図１４に示すように、中央部分が黒画像である第２画像Ｐ２を形成するとともに、照明手段４７により、リール４６の前方側領域を照明する。ここで、第２画像において黒画像とされる中央部分は、照明手段４７により照明されるリール４６の最も前方側の領域と同じとされ、リール４６において遊技者に観察される観察領域である。
【００５９】
このように、略中央部分を黒画像とした第２画像Ｐ２を形成し、反射ミラー４２Ｃの後方側に配置されたリール４６を照明手段４７により照明することで、当該リール４６で反射した光束がハーフミラーで構成された反射ミラー４２Ｃを透過して、リール４６の観察領域を遊技者に観察されやすくすることができる。そして、遊技者には、第１画像Ｐ１および第２画像Ｐ２が観察されるとともに、照明手段４７により照明されたリール４６の一部が、浮いているように観察されることとなる。
【００６０】
以上のような本実施形体のパチンコ機１Ｃによれば、前述のパチンコ機１と同様の効果を奏することができるほか、以下の効果を奏することができる。
すなわち、制御手段４３による制御下で、反射ミラー４２Ｃの後方側に配置された構造体としてのリール４６を照明手段４７により照明するとともに、画像形成領域４１２Ａにより、リール４６の観察領域に対応し、反射ミラー４２Ｃの略中央部分に入射する領域が黒画像である第２画像を形成する。そして、この第２画像としての光束は、反射ミラー４２Ｃで反射して、遊技者が位置する前方側に射出される。
これによれば、反射ミラー４２Ｃの後方側に配置されたリール４６を遊技者に観察させることができるだけでなく、当該リール４６が浮いているように見せることができる。また、この際、第１画像と、黒画像とされた以外の領域の第２画像とは、リール４６の各ドラムの回転に合わせた画像や、無関係な画像を形成表示することができる。従って、画像表示装置４Ｃ、ひいては、パチンコ機１Ｃの演出効果を高めることができる。
【００６１】
〔５．第５実施形態〕
次に、本発明の第５実施形態に係るパチンコ機１Ｄについて説明する。
本実施形態のパチンコ機１Ｄは、前述のパチンコ機１と同様の構成を備えるが、それぞれ全反射ミラーで構成された２つの反射ミラーを備えている点において相違する。なお、以下の説明では、既に説明した部分と同一または略同一である部分については、同一の符号を付して説明を省略する。
【００６２】
図１５は、本実施形態のパチンコ機１Ｄの遊技機本体３および画像表示装置４Ｄを示す縦断面図である。なお、図１５においては、画像表示装置４Ｄの筐体４４の図示を省略している。
本実施形態のパチンコ機１Ｄは、本発明の遊技機に相当し、枠体２および遊技機本体３を備えて構成されている。このうち、遊技機本体３は、遊技盤３１および前扉３２等を備えて構成され、当該遊技盤３１の裏側には、図１５に示すように、開口３１Ｂに対応する位置に画像表示装置４Ｄが設けられている。
【００６３】
画像表示装置４Ｄは、表示装置本体４１、反射ミラー４２Ｄ１，４２Ｄ２、制御手段４３および筐体４４を備えて構成されている。
このうち、反射ミラー４２Ｄ１，４２Ｄ２は、それぞれ全反射ミラーで構成されている。そして、これら反射ミラー４２Ｄ１，４２Ｄ２には、画像形成領域４１２Ａから上方に射出された第２画像としての光束が入射し、当該反射ミラー４２Ｄ１，４２Ｄ２は、それぞれ入射光束を前方側に反射する。このため、反射ミラー４２Ｄ１，４２Ｄ２は、表示装置本体４１に対して略４５°傾斜し、それぞれの反射面が前方側を向くように配置されている。そして、これら反射ミラー４２Ｄ１，４２Ｄ２のうち、前方側に配置された反射ミラー４２Ｄ１は、後方側に配置された反射ミラー４２Ｄ２より小さな寸法を有している。
【００６４】
具体的に、反射ミラー４２Ｄ１は、画像形成領域４１２Ａにおける奥行き方向前方側略１／４の領域から射出された第２画像としての光束が入射する程度の寸法を有し、当該入射した光束を前方側（遊技者側）に反射する。
また、反射ミラー４２Ｄ２は、画像形成領域４１２Ａにおける奥行き方向後方側略３／４の領域から射出された第２画像としての光束が入射する程度の寸法を有し、当該入射した光束を前方側（遊技者側）に反射する。
【００６５】
図１６は、画像表示装置４Ｄで形成表示された第１画像および第２画像の見え方を説明する図である。
このような画像表示装置４Ｄでは、図１６に示すように、画像形成領域４１２Ａを直視することで観察可能な第１画像Ｐ１と、反射ミラー４２Ｄ１で反射され虚像として観察される第２画像Ｐ２１と、反射ミラー４２Ｄ２で反射され虚像として観察される第２画像Ｐ２２との３つの画像の表示領域が形成される。
具体的に、画像形成領域４１２Ａにおける奥行き方向前方側略１／４の領域で形成された第２画像Ｐ２１（図１６におけるメータの画像）としての光束は、表示装置本体４１から上方に向かって射出され、反射ミラー４２Ｄ１で前方側（遊技者側）に反射される。この際、当該第２画像Ｐ２１は、反射ミラー４２Ｄ１の後方側端部における表示装置本体４１の光束射出面に直交する仮想の面上の虚像として観察される。
【００６６】
また、画像形成領域４１２Ａにおける奥行き方向後方側略３／４の領域で形成された第２画像Ｐ２２（図１６における自動車および空の画像）としての光束は、表示装置本体４１から上方に向かって射出され、反射ミラー４２Ｄ２で前方側（遊技者側）に反射される。この際、第２画像Ｐ２２は、反射ミラー４２Ｄ２の後方側端部における表示装置本体４１の光束射出面に直交する仮想の面上の虚像として観察される。
さらに、画像形成領域４１２Ａの全面で形成された第１画像Ｐ１（図１６における道路の画像）としての光束は、表示装置本体４１から前方側（遊技者側）に傾斜して射出される。この際、第１画像Ｐ１は、遊技者により直視されて観察される。
【００６７】
以上のような本実施形態のパチンコ機１Ｄによれば、前述のパチンコ機１と同様の効果を奏することができるほか、以下の効果を奏することができる。
すなわち、表示装置本体４１上には、当該表示装置本体４１に対して傾斜し、画像形成領域４１２Ａで形成された第２画像Ｐ２１，Ｐ２２としての光束を前方側に反射する２つの反射ミラー４２Ｄ１，４２Ｄ２が設けられている。これら反射ミラー４２Ｄ１，４２Ｄ２で反射される第２画像Ｐ２１，Ｐ２２のうち、第２画像Ｐ２１は、前方側に配置された反射ミラー４２Ｄ１の後方側に虚像として観察され、第２画像Ｐ２２は、後方側に配置された反射ミラーの後方側に虚像として観察される。
これによれば、形成画像を複数の画像に分割して表示することができるだけでなく、第２画像Ｐ２１，Ｐ２２の焦点位置がそれぞれ変わることにより、遊技者に表示画像における奥行きを感じさせることができる。従って、画像表示装置４Ｄの汎用性を向上することができるだけでなく、パチンコ機１Ｄの演出効果を一層高めることができる。
【００６８】
〔６．第６実施形態〕
次に、本発明の第６実施形態に係るパチンコ機１Ｅについて説明する。
本実施形態のパチンコ機１Ｅは、前述のパチンコ機１と同様の構成を備えるが、表示装置本体を構成する液晶パネルで形成される第１画像および第２画像が、それぞれ立体視可能な画像である点において相違する。なお、以下の説明では、既に説明した部分と同一または略同一である部分については、同一の符号を付して説明を省略する。
【００６９】
図１７は、本実施形態のパチンコ機１Ｅの遊技機本体３および画像表示装置４Ｅを示す縦断面図である。
本実施形態のパチンコ機１Ｅは、本発明の遊技機に相当し、枠体２および遊技機本体３を備えて構成されている。このうち、遊技機本体３は、遊技盤３１および前扉３２等を備え、当該遊技盤３１の背面側には、図１７に示すように、開口３１Ｂに対応する位置に、画像表示装置４Ｅが設けられている。
【００７０】
図１８は、表示装置本体４１Ｅの構造を説明する縦断面図である。なお、図１８においては、バックライトユニット４１１およびシールドケース４１４の図示を省略している。
画像表示装置４Ｅは、表示装置本体４１Ｅ、反射ミラー４２、制御手段４３および筐体４４を備え、表示装置本体４１Ｅは、図１８に示すように、バックライトユニット４１１（図示省略）、液晶パネル４１２１、視差バリア４１３１およびシールドケース４１４（図示省略）を備えている。
【００７１】
このうち、液晶パネル４１２１は、前述の液晶パネル４１２と同様の構成を備えているが、第１画像を形成する画素４１２Ｆおよび第２画像を形成する画素４１２Ｕのそれぞれに、遊技者の右目に入射させる右目用画像を形成する画素、および、遊技者の左目に入射させる左目用画像を形成する画素が、交互に配列されている。
具体的に、液晶パネル４１２１を構成する画素４１２Ｆ，４１２Ｕのうち、画素４１２Ｆは、図１８に示すように、右目用画像を形成する画素４１２ＦＲと、左目用画像を形成する画素４１２ＦＬとから構成され、これら画素４１２ＦＲ，４１２ＦＬが交互に配列されている。
【００７２】
視差バリア４１３１は、図示を省略したが、当該視差バリア４１３１に正対する方向から見ると、液晶パネル４１２１から射出された光束を遮光するマスク４１３Ｃがストライプ状に配置されたグリッドアレイとして構成されている。このマスク４１３Ｃは、視差バリア４１３１を側方（奥行き方向に直交し、かつ、水平方向に沿った方向）から見て、マスク４１３Ａと同様の位置に、液晶パネル４１２の隣接する画素４１２Ｆ，４１２Ｕの境界部分に跨って配置されている。そして、これらマスク４１３Ｃの間はスリットＳＬとされ、画素４１２Ｆから射出された第１画像としての光、および、画素４１２Ｕから射出された第２画像としての光が、当該スリットＳＬを介して透過して、表示装置本体４１Ｅから射出される。
また、この視差バリア４１３１の一対の透明基板の液晶パネル４１２１側の面には、前述の遮光体４１３Ｂと同様の位置に、遮光体４１３Ｄが形成されている。
【００７３】
一方、視差バリア４１３１を前方側の側方から見ると、図１８に示すように、マスク４１３Ｃは、第１画像を形成する画素４１２Ｆのうち、右目用画像を形成する画素４１２ＦＲと、左目用画像を形成する画素４１２ＦＬとの境界部分に跨って配置されている。そして、これらマスク４１３Ｃの間はスリットＳＬとされ、当該スリットＳＬを介して、画素４１２ＦＲから射出された第１画像における右目用画像としての光、および、画素４１２ＦＬから射出された第１画像における左目用画像としての光が透過して、表示装置本体４１Ｅから射出される。
また、遮光体４１３Ｄは、視差バリア４１３１を前方側から見ると、断面視略正三角形状に形成されており、画素４１２ＦＲから射出された右目用画像としての光が、遊技者の左目に入射することを抑えるとともに、画素４１２ＦＬから射出された左目用画像としての光が、遊技者の右目に入射することを抑えている。
【００７４】
なお、このような視差バリア４１３１の構成は、第２画像を形成する画素４１２Ｕが配列された領域においても同様とされている。すなわち、視差バリア４１３１は、図１８において括弧書きで示すように、当該画素４１２Ｕのうち、右目用画像を形成する画素４１２ＵＲから射出された光が、遊技者の右目に入射するように、また、左目用画像を形成する画素４１２ＵＬから射出された光が、遊技者の左目に入射するように構成されている。
【００７５】
図１９は、画像表示装置４Ｅで形成された画像の見え方を説明する図である。
このような表示装置本体４１Ｅにより形成された第１画像Ｐ１および第２画像Ｐ２は、それぞれが右目用画像および左目用画像を含んでおり、それぞれ立体視可能な画像として形成されている。
具体的に、画素４１２ＦＲで形成された第１画像Ｐ１の右目用画像としての光は、視差バリア４１３１を介して、表示装置本体４１Ｅから図１９に示す矢印Ｒ１方向に射出され、遊技者の右目に達する。また、画素４１２ＦＬで形成された第１画像Ｐ１の左目用画像としての光は、視差バリア４１３１を介して、表示装置本体４１Ｅから矢印Ｌ１方向に射出され、遊技者の左目に達する。このため、遊技者において、右目用画像および左目用画像が合成され、第１画像Ｐ１が立体画像として観察される。
【００７６】
同様に、画素４１２ＵＲで形成された第２画像Ｐ２の右目用画像としての光は、視差バリア４１３１を介して、表示装置本体４１Ｅから上方に射出される。そして、当該光は、反射ミラー４２で反射されて矢印Ｒ２方向に射出され、遊技者の右目に達する。また、画素４１２ＵＬで形成された第２画像Ｐ２の左目用画像としての光は、視差バリア４１３１を介して表示装置本体４１Ｅから上方に射出される。そして、当該光は、反射ミラー４２で反射されて矢印Ｌ２方向に射出され、遊技者の左目に達する。このため、遊技者において、右目用画像および左目用画像が合成され、第２画像Ｐ２が立体画像として観察される。
【００７７】
以上のような本実施形態のパチンコ機１Ｅによれば、前述にパチンコ機１と同様の効果を奏することができるほか、以下の効果を奏することができる。
すなわち、パチンコ機１Ｅに取り付けられた画像表示装置４Ｅは、当該画像表示装置４Ｅを構成する液晶パネル４１２１の画像形成領域４１２Ｅにおいて、画素４１２Ｆにより遊技者が直視可能な第１画像Ｐ１を形成し、画素４１２Ｕにより反射ミラー４２を介して虚像として観察される第２画像Ｐ２を形成する。ここで、第１画像Ｐ１および第２画像Ｐ２は、画素４１２ＦＲ，４１２ＵＲおよび画素４１２ＦＬ，４１２ＵＬにより形成される右目用画像および左目用画像をそれぞれ含んでおり、視差バリア４１３１により、第１画像Ｐ１および第２画像Ｐ２の右目用画像が遊技者の右目に、また、左目用画像が遊技者の左目に入射する。
これによれば、視差により、第１画像Ｐ１および第２画像Ｐ２をそれぞれ立体画像として観察することができる。従って、画像表示装置４Ｅ、ひいては、パチンコ機１Ｅによる演出効果を一層高めることができる。
【００７８】
〔７．第７実施形態〕
次に、本発明の第７実施形態に係るパチンコ機１Ｆについて説明する。
本実施形態のパチンコ機１Ｆは、前述のパチンコ機１と同様の構成を備えるが、画像表示装置が２つの画像形成領域と、それぞれの画像形成領域により形成される第２画像を反射する２つの反射ミラーとを備えている点において相違する。なお、以下の説明では、既に説明した部分と同一または略同一である部分については、同一の符号を付して説明を省略する。
【００７９】
図２０は、本実施形態のパチンコ機１Ｆの遊技機本体３および画像表示装置４Ｆを示す横断面図である。
本実施形体のパチンコ機１Ｆは、本発明の遊技機に相当し、枠体２および遊技機本体３を備えている。このうち、遊技機本体３は、遊技盤３１および前扉３２等を備えて構成され、当該遊技盤３１の背面側には、開口３１Ｂに応じた位置に画像表示装置４Ｆが取り付けられている。
この画像表示装置４Ｆは、図２０に示すように、画像形成領域４１２Ｆ１を有する画像形成手段４１Ｆ１、および、画像形成領域４１２Ｆ２を有する画像形成手段４１Ｆ２が設けられた表示装置本体４１Ｆと、画像形成手段４１Ｆ１，４１Ｆ２のそれぞれから射出される第２画像としての光束を反射する２つの反射ミラー４２Ｆ１，４２Ｆ２とを備えている。また、画像表示装置４Ｆは、図２０では図示を省略したが、これらの他に、表示装置本体４１Ａを制御する制御手段４３と、これらを内部に収納するとともに、反射ミラー４２Ｆ１，４２Ｆ２を所定位置に支持する筐体４４とを備えている。
【００８０】
表示装置本体４１Ｆを構成する画像形成手段４１Ｆ１，４１Ｆ２は、それぞれ前述の表示装置本体４１と同様の構成を備えている。すなわち、画像形成手段４１Ｆ１，４１Ｆ２は、バックライトユニット４１１、液晶パネル４１２、視差バリア４１３およびシールドケース４１４をそれぞれ備えている。そして、各画像形成手段４１Ｆ１，４１Ｆ２は、それぞれの液晶パネル４１２における各画素が配列され、前述の第１画像および第２画像を形成する領域である画像形成領域４１２Ｆ１，４１２Ｆ２が、画像表示装置４Ｆの奥行き方向に沿うとともに、上下方向に沿うように配置されている。このため、各画像形成手段４１Ｆ１，４１Ｆ２の画像形成領域４１２Ｆ１，４１２Ｆ２は、互いに対向するように、画像表示装置４Ｆにおける内側をそれぞれ向いて配置される。
【００８１】
このような画像形成手段４１Ｆ１，４１Ｆ２のうち、画像形成手段４１Ｆ１の画像形成領域４１２Ｆ１で形成された第１画像としての光束は、当該画像形成手段４１Ｆ１から前方側に射出される。また、画像形成領域４１２Ｆ１で形成された第２画像としての光束は、上下方向に沿った画像形成領域４１２Ｆ１から面外方向に射出される。
同様に、画像形成手段４１Ｆ２の画像形成領域４１２Ｆ２で形成された第１画像としての光束は、当該画像形成手段４１Ｆ２から前方側に射出される。また、画像形成領域４１２Ｆ２で形成された第２画像としての光束は、上下方向に沿った画像形成領域４１２Ｆ２から面外方向に射出される。
【００８２】
反射ミラー４２Ｆ１，４２Ｆ２は、それぞれ全反射ミラーで構成されている。そして、各反射ミラー４２Ｆ１，４２Ｆ２は、それぞれの反射面が、画像形成手段４１Ｆ１，４１Ｆ２に対向するように配置され、当該各反射ミラー４２Ｆ１，４２Ｆ２は、それぞれ画像形成領域４１２Ｆ１，４１２Ｆ２の全面で形成された第２画像としての光束を、前方側（遊技者側）に反射する。
このような反射ミラー４２Ｆ１，４２Ｆ２は、それぞれ上下方向に沿って配置されるとともに、画像形成手段４１Ｆ１，４１Ｆ２に対して略４５°傾斜して配置されている。そして、反射ミラー４２Ｆ１，４２Ｆ２の前方側の端部は、互いに接続されているとともに、後方側の端部は、画像形成手段４１Ｆ１，４１Ｆ２における画像形成領域４１２Ｆ１，４１２Ｆ２の後方側の端部に対応する位置にそれぞれ接続されている。
【００８３】
このような反射ミラー４２Ｆ１により、画像形成手段４１Ｆ１の画像形成領域４１２Ｆ１で形成され、当該画像形成手段４１Ｆ１から面外方向に射出された第２画像としての光束は、前方側（遊技者側）に反射される。そして、当該第２画像は、反射ミラー４２Ｆ１の後方側の端部における画像形成手段４１Ｆ１の光束射出面に直交する仮想の面上の虚像として観察される。
また、反射ミラー４２Ｆ２により、画像形成手段４１Ｆ２の画像形成領域４１２Ｆ２で形成され、当該画像形成手段４１Ｆ２から面外方向に射出された第２画像としての光束は、前方側（遊技者側）に射出される。そして、当該第２画像は、反射ミラー４２Ｆ２の後方側の端部における画像形成手段４１Ｆ２の光束射出面に直交する仮想の面上の虚像として観察される。
そして、反射ミラー４２Ｆ１，４２Ｆ２は、前方側の端部で互いに接続されているので、画像形成領域４１２Ｆ１で形成される第２画像の虚像と、画像形成領域４１２Ｆ２で形成される第２画像の虚像とは、互いに近接する端部で接続された画像として観察される。
【００８４】
このような画像表示装置４Ｆにおいては、画像形成手段４１Ｆ１の画像形成領域４１２Ｆ１で形成された第１画像、および、画像形成手段４１Ｆ２の画像形成領域４１２Ｆ２で形成された第１画像は、遊技者の直視により観察され、当該表示装置本体４１Ｆ１，４１Ｆ２が、それぞれ第１画像の表示領域となる。
また、画像形成領域４１２Ｆ１および画像形成領域４１２Ｆ２でそれぞれ形成された第２画像は、反射ミラー４２Ｆ１，４２Ｆ２の後方の仮想の面上の虚像として観察され、当該仮想の面が、第２画像の表示領域となる。
【００８５】
以上のような本実施形態のパチンコ機１Ｆによれば、前述のパチンコ機１と同様の効果を備えるほか、以下の効果を奏することができる。
すなわち、表示装置本体４１Ｆが、２つの画像形成領域４１２Ｆ１，４１２Ｆ２を備え、それぞれの画像形成領域４１２Ｆ１，４１２Ｆ２の全面で、前方側（遊技者側）に射出される第１画像と、反射ミラー４２Ｆ１，４２Ｆ２で前方側に反射される第２画像とが形成される。そして、各第１画像は、画像形成手段４１Ｆ１，４１Ｆ２を直視することにより観察され、各第２画像は、反射ミラー４２Ｆ１，４２Ｆ２の後方に形成される１つの接続された虚像として観察される。
【００８６】
これによれば、２つの画像形成領域４１２Ｆ１，４１２Ｆ２により、それぞれ異なる画像を形成表示することができるので、画像表示装置４Ｆ、ひいては、パチンコ機１Ｆの演出効果を一層高めることができる。
また、画像形成領域４１２Ｆ１，４１２Ｆ２により形成される各第２画像を、それぞれ関連付けた画像とすれば、当該第２画像を１つの画像として観察することができる。従って、画像形成領域４１２Ｆ１，４１２Ｆ２の奥行き方向の寸法が小さい場合でも、遊技者と正対し、虚像として観察される第２画像の表示領域を拡大することができる。
【００８７】
〔８．実施形態の変形〕
本発明を実施するための最良の構成などは、以上の記載で開示されているが、本発明はこれに限定されるものではない。すなわち、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００８８】
前記第１〜第６実施形態では、画像表示装置４，４Ａ〜４Ｅを構成する表示装置本体４１，４１Ａ，４１Ｅは、当該画像表示装置４，４Ａ，４Ｅの奥行き方向に沿うとともに、表示装置本体４１，４１Ａ，４１Ｅの光束射出面が上方を向くように水平方向に沿って配置されるとし、また、前記第７実施形態では、画像表示装置４Ｆの表示装置本体４１Ｆを構成する画像形成手段４１Ｆ１，４１Ｆ２が、当該画像表示装置４Ｆの奥行き方向に沿うとともに、当該画像形成手段４１Ｆ１，４１Ｆ２の光束射出面がそれぞれ水平方向を向くように上下方向に沿って配置されるとしたが、本発明はこれに限らない。すなわち、表示装置本体４１，４１Ａ，４１Ｅ，４１Ｆの配置方向は、画像表示装置４，４Ａ〜４Ｆの奥行き方向に沿っていれば、表示装置本体の光束射出面がどの方向を向いていてもよい。
【００８９】
前記各実施形態では、画像形成領域４１２Ａ，４１２Ｅ，４１２Ｆ１，４１２Ｆ２で形成された第１画像としての光束は、視差バリア４１３，４１３１により前方側に射出され、また、第２画像としての光束は、同様に、視差バリア４１３，４１３１により、表示装置本体４１Ａ，４１Ｅおよび画像形成手段４１Ｆ１，４１Ｆ２の光束射出面に対して垂直な方向に射出されるとしたが、本発明はこれに限らない。すなわち、視差バリア４１３，４１３１により設定される第１画像としての光束、および、第２画像としての光束の各射出角は、表示装置本体４１，４１Ａ，４１Ｅ，４１Ｆの配置位置に応じて適宜設定してよい。
【００９０】
前記各実施形態では、反射ミラー４２，４２Ａ，４２Ｂ１，４２Ｂ２，４２Ｃ，４２Ｄ１，４２Ｄ２，４２Ｆ１，４２Ｆ２は、それぞれの反射面が表示装置本体４１，４１Ａ，４１Ｅおよび画像形成手段４１Ｆ１，４１Ｆ２に対向するとともに、当該表示装置本体４１，４１Ａ，４１Ｅおよび画像形成手段４１Ｆ１，４１Ｆ２に対して略４５°傾斜して配置されるとしたが、本発明はこれに限らない。すなわち、反射ミラーの表示装置本体に対する傾斜角は、表示装置本体から射出される第２画像としての光束を、前方側（遊技者側）に反射するように配置されていれば、当該第２画像としての光束の表示装置本体および画像形成手段からの射出角、および、遊技者の位置に応じて、適宜設定してよい。
【００９１】
前記第１〜第６実施形態では、画像表示装置４，４Ａ〜４Ｅは、１つの画像形成領域４１２Ａを有する構成とし、前記第７実施形態では、画像表示装置４Ｆは、２つの画像形成領域４１２Ｆ１，４１２Ｆ２を有する構成としたが、本発明はこれに限らない。すなわち、画像表示装置は、１つの画像形成領域で、所定の方向に射出される第１画像と、当該第１画像とは異なる方向に射出される第２画像とを形成可能であれば、当該画像形成領域を３つ以上備えた構成としてもよい。
【００９２】
前記第６実施形態では、画像表示装置４Ｅが有する画像形成領域４１２Ｅでは、遊技者の右目に入射する右目用画像、および、遊技者の左目に入射する左目用画像を含み、それぞれ立体視可能な第１画像および第２画像を形成するとしたが、本発明はこれに限らない。例えば、遊技者の右目に入射する画像と左目に入射する画像とがそれぞれ関連のない別画像である第１画像および第２画像を形成するようにしてもよい。また、このような場合、それぞれ表示装置本体から射出される画像ごとに、反射ミラーを設けるように構成してもよい。
【００９３】
また、前記第６実施形態では、画像表示装置４Ｅで形成表示される第１画像および第２画像を、それぞれ立体視可能な画像としたが、本発明はこれに限らず、第１画像および第２画像のうち、少なくともいずれかを立体視可能な画像としてもよい。
さらに、前記第２〜第５および第７実施形態で示した画像表示装置４，４Ａ〜４Ｄ，４Ｆの表示装置本体４１，４１Ａ〜４１Ｄ，４１Ｆに液晶パネル４１２１および視差バリア４１３１を採用し、当該表示装置本体４１，４１Ａ〜４１Ｄ，４１Ｆで形成される第１画像および第２画像を、立体視可能な画像としてもよい。
【００９４】
前記第１、第４、第６および第７実施形態では、反射ミラー４２，４２Ｃ，４２Ｆ１，４２Ｆ２は、各表示装置本体４１，４１Ｅ，４１Ｆの画像形成領域４１２Ａ，４１２Ｅ，４１２Ｆ１，４１２Ｆ２で形成された第２画像としての光束の全てが入射可能な寸法を有するとしたが、本発明はこれに限らない。すなわち、反射ミラーは、第２画像としての光束の少なくとも一部が入射し、当該光束を遊技者側に反射する寸法を有していればよい。
【００９５】
前記第４実施形態では、反射ミラー４２Ｃの後方側に構造体としてのリール４６を配置し、当該リール４６を照明する照明手段４７が設けられているとしたが、本発明はこれに限らない。例えば、構造体としてリール４６の代わりに、絵や小型の表示装置を配置するようにしてもよい。なお、小型の表示装置を構造体として設けた場合には、当該表示装置が画像を形成表示するので、構造体を照明するための照明手段を省略することができる。
【００９６】
前記各実施形態では、表示装置本体４１，４１Ａ，４１Ｅ，４１Ｆは、液晶パネル４１２，４１２１を備える構成としたが、本発明ではこれに限らず、表示装置は、液晶パネルに代えて、有機ＥＬ（ElectroLuminescence）など、液晶以外の光変調素子を用いてもよい。なお、有機ＥＬを用いた場合には、バックライトユニット４１１を省略した構成とすることができる。
【００９７】
前記各実施形態では、遊技機としてパチンコ機１，１Ａ，１Ｂを例示したが、本発明はこれらに限らない。すなわち、本発明をピンボール、スマートボールおよびアレンジボール等に適用することも可能である。
また、前記各実施形態では、画像表示装置は、遊技機に取り付けられるとしたが、本発明はこれに限らず、画像表示装置単体で利用してもよく、また、他の機器等に取り付けられる態様としてもよい。例えば、このような機器として、ドライブシミュレータ等を例示することができる。
【産業上の利用可能性】
【００９８】
本発明は、パチンコ機等の遊技機に利用できる他、画像表示装置単体でも利用することができ、また、ドライブシミュレータ等の電子機器にも利用することができる。
【図面の簡単な説明】
【００９９】
【図１】本発明の第１実施形態に係るパチンコ機を示す概要斜視図。
【図２】前記実施形態における遊技盤および画像表示装置を示す概要斜視図。
【図３】前記実施形態における画像表示装置の構成を示す分解斜視図。
【図４】前記実施形態における液晶パネルのカラーフィルタを示す模式図。
【図５】前記実施形態における表示装置本体の構造を説明する縦断面図。
【図６】前記実施形態における遊技機本体および画像表示装置を示す縦断面図。
【図７】前記実施形態における形成画像の見え方を説明する図。
【図８】本発明の第２実施形態に係るパチンコ機の遊技機本体および画像表示装置を示す縦断面図。
【図９】前記実施形態における画像形成領域の反射ミラーが覆う領域を説明する図。
【図１０】前記実施形態における反射ミラーを最も後方側に配置した場合の画像の見え方を説明する図。
【図１１】前記実施形態における反射ミラーを最も前方側に配置した場合の画像の見え方を説明する図。
【図１２】本発明の第３実施形態に係るパチンコ機の遊技機本体および画像表示装置を示す縦断面図。
【図１３】本発明の第４実施形態に係るパチンコ機の遊技機本体および画像表示装置を示す縦断面図。
【図１４】前記実施形態におけるリールを透かした際の画像の見え方を説明する図。
【図１５】本発明の第５実施形態に係るパチンコ機の遊技機本体および画像表示装置を示す縦断面図。
【図１６】前記実施形態における第１画像および第２画像の見え方を説明する図。
【図１７】本発明の第６実施形態に係るパチンコ機の遊技機本体および画像表示装置を示す縦断面図。
【図１８】前記実施形態における表示装置本体の構造を説明する縦断面図。
【図１９】前記実施形態における形成画像の見え方を説明する図。
【図２０】本発明の第７実施形態に係るパチンコ機の遊技盤および画像表示装置を示す横断面図。
【符号の説明】
【０１００】
１，１Ａ，１Ｂ，１Ｃ，１Ｄ，１Ｅ，１Ｆ…パチンコ機（遊技機）、４，４Ａ，４Ｂ，４Ｃ，４Ｄ，４Ｅ，４Ｆ…画像表示装置、４１，４１Ｅ，４１Ｆ…表示装置本体、４２，４２Ａ，４２Ｂ１，４２Ｂ２，４２Ｃ，４２Ｄ１，４２Ｄ２，４２Ｆ１，４２Ｆ２…反射ミラー、４３…制御手段、４５…移動手段、４６…リール（構造体）、４７…照明手段、４１２Ａ，４１２Ｅ，４１２Ｆ１，４１２Ｆ２…画像形成領域、４１３１…視差バリア、Ｐ１…第１画像、Ｐ２（Ｐ２１，Ｐ２２）…第２画像。
【図１】
2007260050.tif 000003
【図２】
2007260050.tif 000004
【図３】
2007260050.tif 000005
【図４】
2007260050.tif 000006
【図５】
2007260050.tif 000007
【図６】
2007260050.tif 000008
【図７】
2007260050.tif 000009
【図８】
2007260050.tif 000010
【図９】
2007260050.tif 000011
【図１０】
2007260050.tif 000012
【図１１】
2007260050.tif 000013
【図１２】
2007260050.tif 000014
【図１３】
2007260050.tif 000015
【図１４】
2007260050.tif 000016
【図１５】
2007260050.tif 000017
【図１６】
2007260050.tif 000018
【図１７】
2007260050.tif 000019
【図１８】
2007260050.tif 000020
【図１９】
2007260050.tif 000021
【図２０】
2007260050.tif 000022